(57)【特許請求の範囲】
【請求項１】
撮像レンズを有する本体部と、
前記撮像レンズによる撮像画像を表示する表示部と、
前記本体部に対して第１回転軸の回りに回動可能に固定された第１辺、前記第１辺に対向する第２辺、および前記第１辺と前記第２辺との間の結合部を有し、前記結合部は、前記第２辺の中央部分以外の両端部分と前記第１辺の両端との間に切欠きを有するヒンジフレームと、
前記ヒンジフレームの第２辺と前記表示部の一辺とを連結し、前記表示部を前記第２辺に沿う第２回転軸および前記第２回転軸と直角な方向の第３回転軸の回りに回転させる回転ヒンジユニットと
を備えた撮像装置。
【請求項２】
前記ヒンジフレームの切欠きは、前記第１辺の両端の近傍と前記第２辺の中央部分の近傍との間に、前記第１辺に交差する傾斜辺を有する
請求項１記載の撮像装置。
【請求項３】
前記ヒンジフレームの切欠きは、前記ヒンジフレームと前記表示部とのなす角が９０°未満の場合に前記表示部が前記第３回転軸の回りに回転する範囲内に設けられている
請求項２記載の撮像装置。
【請求項４】
前記回転ヒンジユニットは、
前記ヒンジフレームの第２辺に回動可能に固定され、前記表示部を前記第２回転軸の回りに回転させるヒンジ回転部材と、
前記ヒンジ回転部材の長手方向中央部に設けられ、前記表示部を前記第３回転軸の回りに回転させる回転軸部材と、
前記回転軸部材と前記表示部の一辺とを結合する固定板と
を有する請求項３記載の撮像装置。
【請求項５】
前記第１回転軸は、前記表示部の収納位置における前記表示部の前記回転ヒンジユニットの取付辺に対向する可動辺の位置よりも前記第２回転軸の側にずれている
請求項４記載の撮像装置。
【請求項６】
前記本体部は、背面に斜面を有し、前記斜面は、前記表示部の収納位置における前記可動辺の側に最も低い位置を有し、前記最も低い位置から離れるに従って高くなる
請求項５記載の撮像装置。
【請求項７】
前記本体部は、背面にファインダーおよび前記ファインダーの上側および左右を囲むアイフードを有し、
前記斜面は前記アイフードに設けられている
請求項６記載の撮像装置。
【請求項８】
前記表示部は、前記可動辺の前記斜面に対向する位置に突起を有する
請求項７記載の撮像装置。
【請求項９】
前記ヒンジフレームは、前記本体部の背面に接する下方位置と前記ファインダーに近接する上方位置との間で前記第１回転軸の回りに回動可能であり、
前記本体部は、前記ヒンジフレームが前記上方位置にあるか否かを検知するヒンジフレーム開閉検知センサを有する
請求項７または８記載の撮像装置。
【請求項１０】
前記本体部は、背面にファインダーおよび前記ファインダー近傍のアイセンサを有し、
前記アイセンサは、前記ヒンジフレーム開閉検知センサを兼ねている
請求項９記載の撮像装置。
【請求項１１】
前記結合部は、前記第１辺の側の中央部分に窓を有する
請求項１０記載の撮像装置。
【請求項１２】
前記結合部はＹ字形状をなす
請求項１１記載の撮像装置。
【請求項１３】
前記表示部は、非反転位置と、前記非反転位置から前記第３回転軸の回りに１８０°反転された反転位置との間で回転可能であり、
前記回転軸部材は、前記表示部が前記反転位置にあるか否かを検知する表示部回転検知センサを有し、
前記本体部は、前記ヒンジフレーム開閉検知センサおよび前記表示部回転検知センサの検知結果に基づいて前記表示部を制御する制御部を有する
請求項１１または１２記載の撮像装置。
【請求項１４】
前記ヒンジフレーム開閉検知センサが、前記ヒンジフレームが上方位置にあることを検知し、かつ前記表示部回転検知センサが、前記表示部が反転位置にあることを検知した場合には、前記制御部は前記表示部に被写体の鏡像を表示させる
請求項１３記載の撮像装置。
【請求項１５】
前記表示部は、
表示素子と、
前記表示素子の前面に設けられた前面板と、
前記表示素子と前記前面板との間に前記表示素子の全周にわたって設けられた密閉のための両面テープと、
前記表示素子の側面および背面を被覆する筐体と、
前記表示素子の背面と前記筐体との間に設けられた中継基板と、
前記中継基板の周辺に設けられた第１パッキンと
を備えた請求項１４記載の撮像装置。
【請求項１６】
前記ヒンジフレームおよび前記ヒンジ回転部材を介して、前記中継基板と前記本体部とを接続するケーブルと、
前記ケーブルが前記ヒンジ回転部材から前記表示部に入る部分に設けられた第２パッキンと、
前記ケーブルが前記本体部から前記ヒンジフレームに入る部分に設けられた第３パッキンと
を備えた請求項１５記載の撮像装置。
【請求項１７】
画像を表示する表示部と、
前記表示部を支持する本体部と、
前記本体部に対して第１回転軸の回りに回動可能に固定された第１辺、前記第１辺に対向する第２辺、および前記第１辺と前記第２辺との間の結合部を有し、前記結合部は、前記第２辺の中央部分以外の両端部分と前記第１辺の両端との間に切欠きを有するヒンジフレームと、
前記ヒンジフレームの第２辺と前記表示部の一辺とを連結し、前記表示部を前記第２辺に沿う第２回転軸および前記第２回転軸と直角な方向の第３回転軸の回りに回転させる回
転ヒンジユニットと
を備えた表示装置。
【発明の詳細な説明】
【技術分野】
【０００１】
本発明は撮像装置および表示装置に係り、特に、表示部の角度を変更することが可能な撮像装置および表示装置に関する。
【背景技術】
【０００２】
従来より、撮像装置や表示装置の表示部を回転ヒンジ機構により回転可能とし、表示部の角度を自由に変更することが提案されている（例えば、撮像装置について、特許文献１参照。）。
【先行技術文献】
【特許文献】
【０００３】
【特許文献１】特開２００１−２７２７１９号公報
【発明の概要】
【発明が解決しようとする課題】
【０００４】
しかしながら、このような従来の回転ヒンジ機構では、表示部を横にして使う場合には表示部の傾斜角度をかなり広範囲に変更可能である一方、表示部を縦にして使う場合には表示部を回転させる際に表示部と本体部とが接触または干渉してしまうことがあり、なお改善の余地があった。
【０００５】
本発明はかかる問題点に鑑みてなされたもので、その目的は、表示部の縦・横の向きに関わらず傾斜角度を変更することが可能な撮像装置および表示装置を提供することにある。
【課題を解決するための手段】
【０００６】
本発明による撮像装置は、以下の（Ａ）〜（Ｄ）の構成要素を備えたものである。
（Ａ）撮像レンズを有する本体部
（Ｂ）撮像レンズによる撮像画像を表示する表示部
（Ｃ）本体部に対して第１回転軸の回りに回動可能に固定された第１辺、第１辺に対向する第２辺、および第１辺と第２辺との間の結合部を有し、結合部は、第２辺の中央部分以外の両端部分と第１辺の両端との間に切欠きを有するヒンジフレーム
（Ｄ）ヒンジフレームの第２辺と表示部の一辺とを連結し、表示部を第２辺に沿う第２回転軸および第２回転軸と直角な方向の第３回転軸の回りに回転させる回転ヒンジユニット
【０００７】
本発明による表示装置は、以下の（Ａ）〜（Ｄ）の構成要素を備えたものである。
（Ａ）画像を表示する表示部
（Ｂ）表示部を支持する本体部
（Ｃ）本体部に対して第１回転軸の回りに回動可能に固定された第１辺、第１辺に対向する第２辺、および第１辺と第２辺との間の結合部を有し、結合部は、第２辺の中央部分以外の両端部分と第１辺の両端との間に切欠きを有するヒンジフレーム
（Ｄ）ヒンジフレームの第２辺と表示部の一辺とを連結し、表示部を第２辺に沿う第２回転軸および第２回転軸と直角な方向の第３回転軸の回りに回転させる回転ヒンジユニット
【０００８】
本発明の撮像装置、または本発明の表示装置では、ヒンジフレームの第１辺は、本体部に対して第１回転軸の回りに回動可能に固定され、第１辺に対向する第２辺は、回転ヒンジユニットにより表示部の一辺に連結されている。第１辺と第２辺との間の結合部は、第２辺の中央部分以外の両端部分と第１辺の両端との間に切欠きを有している。よって、表示部を縦・横いずれの向きにした場合にも、表示部を第３回転軸の回りに回転させる際に表示部とヒンジフレームとの接触または干渉が抑えられる。
【発明の効果】
【０００９】
本発明の撮像装置、または本発明の表示装置によれば、ヒンジフレームの第１辺と第２辺との間の結合部に、第２辺の中央部分以外の両端部分と第１辺の両端との間に切欠きを設けるようにしたので、表示部を第３回転軸の回りに回転させる際に表示部とヒンジフレームとの接触または干渉を抑え、表示部の縦・横の向きに関わらず傾斜角度を変更することが可能となる。
【図面の簡単な説明】
【００１０】
【図１】本発明の第１の実施の形態に係る撮像装置の外観の一例を表す斜視図である。
【図２】図１に示した表示部を下方に回転させて表示部の裏側の構成を表す斜視図である。
【図３】図１に示した撮像装置を分解して表す斜視図である。
【図４】撮像装置の外観の他の例を表す斜視図である。
【図５】図３に示したヒンジフレームを拡大して表す斜視図である。
【図６】ヒンジフレームの回動範囲を説明するための側面図である。
【図７】ヒンジフレームの窓と本体部のファインダーとの位置関係を表す正面図である。
【図８】ヒンジフレームの変形例を表す正面図である。
【図９】ヒンジフレームの他の変形例を表す平面図である。
【図１０】図２に示した回転ヒンジユニットを拡大して表す斜視図である。
【図１１】表示部の制御系統を説明するためのブロック図である。
【図１２】図１に示した表示部の内部構成を表す断面図である。
【図１３】表示部を裏面側から見た構成を表す斜視図である。
【図１４】図１に示した撮像装置による横位置・ハイアングル撮影の一例を表す斜視図である。
【図１５】横位置・ローアングル撮影の第１の例を表す斜視図である。
【図１６】図１５（Ｃ）の側面図である。
【図１７】図１５（Ａ）から図１５（Ｂ）に至るまでの各構成要素の動作を説明するための斜視図および側面図である。
【図１８】横位置・ローアングル撮影の第２の例としてアクセサリーを用いた場合を表す斜視図である。
【図１９】横位置・ミラーモード撮影の第１の例を表す斜視図である。
【図２０】アイセンサによるヒンジフレームの検知を説明するための斜視図である。
【図２１】横位置・ミラーモード撮影の第２の例を表す斜視図である。
【図２２】縦位置・ハイアングルおよびローアングル撮影の第１の例を表す斜視図である。
【図２３】縦位置・ハイアングルおよびローアングル撮影の第２の例として、表示部を撮像レンズの光軸付近で回転させる例を動作順に表す側面図である。
【図２４】図２３の上面図である。
【図２５】図２３に続く動作を表す斜視図である。
【図２６】ヒンジフレームの切欠きの作用を説明するための斜視図である。
【図２７】図２５（Ｂ）でアクセサリーグリップを装着した場合の斜視図である。
【図２８】Ｔ字形状およびＹ字形状のヒンジフレームのそれぞれの作用を説明するための斜視図である。
【図２９】本発明の第２の実施の形態に係る表示装置であるフォトフレームの外観を表す斜視図である。
【発明を実施するための形態】
【００１１】
以下、本発明の実施の形態について図面を参照して詳細に説明する。なお、説明は以下の順序で行う。
１．第１の実施の形態（撮像装置の例）
２．第２の実施の形態（表示装置の例）
【００１２】
（第１の実施の形態）
図１は、本発明の第１の実施の形態に係る撮像装置（デジタル一眼レフカメラ）の背面側から見た外観を表し、図２は、図１に示した表示部を下方に回転させて表示部の裏側の構成を表したものである。また、図３はこの撮像装置１の主たる構成要素を分解して表したものである。この撮像装置１は、例えば、本体部１０の背面に表示部２０を、ヒンジフレーム３０および回転ヒンジユニット４０（図３参照）により取り付けた構成を有している。なお、図１および図２では、回転ヒンジユニット４０は、合成樹脂などよりなる回転ヒンジユニットカバー４０Ａ内に収容されている。本体部１０の上面には、ストロボ発光装置などのアクセサリーを装着するためのアクセサリーシュー５０が設けられている。
【００１３】
本体部１０は、被写体（図示せず）を前方にして撮像レンズ１１（図３参照。）を有している。また、本体部１０は、この撮像レンズ１１を通じて撮像された画像を、例えば内蔵されたメモリやハードディスク、または外付け用スロットに挿入されたメモリやハードディスクなどの記録媒体に記録する。本体部１０の背面上方には、ファインダー１２が設けられている。ファインダー１２の上方には、アイセンサ１３が配置されている。アイセンサ１３はファインダー１２の下方に設けられていてもよい。ファインダー１２およびアイセンサ１３の上側および左右の三方は、壁状のアイフード１４により囲まれている。アイフード１４は取り外し可能であってもよい。
【００１４】
本体部１０の背面のファインダー１２下方の領域は、表示部２０およびヒンジフレーム３０の収納部１５となっており、必要に応じて、表示部２０およびヒンジフレーム３０の形状に合わせた凹凸が設けられている。収納部１５の上方の左右には、ヒンジフレーム３０を支持するための一対の固定部１６が設けられている。固定部１６は、例えば、本体部１０の筐体と一体に設けられた突起部により構成されている。
【００１５】
表示部２０は、撮像レンズ１１による撮像画像を表示するものであり、例えば液晶表示パネルにより構成されている。表示部２０は、例えば図１に示したように、ヒンジフレーム３０と共に折り畳んだ状態で本体部１０の収納部１５に収納可能である。一方、表示部２０は、回転ヒンジユニット４０により、図２の矢印Ｒ２およびＲ３で示したように、回転ヒンジユニット４０の取付辺２０Ａに平行な第２回転軸Ａ２の回りに回転可能であると共に、第２回転軸Ａ２に直交する第３回転軸Ａ３の回りに回転可能となっている。
【００１６】
ここで第２回転軸Ａ２は、図２に示したように、光軸ｙおよびカメラ縦方向ｚに垂直で、カメラ横方向ｘに伸びる軸であり、後述する第１回転軸Ａ１に平行である。第３回転軸Ａ３は、カメラ横方向ｘに垂直で、表示部２０の対向する二本の長辺の中央を通る軸である。第３回転軸Ａ３は、表示部２０が第１回転軸Ａ１または第２回転軸Ａ２の回りに回動するに伴って、光軸ｙおよびカメラ縦方向ｚを含む面内において可動となっている。
【００１７】
第２回転軸Ａ２の回りにおける表示部２０の最大回転可能範囲は略１８０°である。すなわち、表示部２０は、例えば、図１に示したように表示部２０とヒンジフレーム３０とのなす角が０°である閉位置Ｐ２１と、図２に示したように表示部２０とヒンジフレーム３０とのなす角が１８０°である開位置Ｐ２２との間で第２回転軸Ａ２の回りに回転可能である。
【００１８】
第３回転軸Ａ３の回りにおける表示部２０の最大回転可能範囲は、表示部２０とヒンジフレーム３０とのなす角度によって異なるが、表示部２０とヒンジフレーム３０とのなす角が概ね９０°以上の場合（開位置Ｐ２２を含む）には、略１８０°である。この場合、表示部２０は、回転していない非反転位置Ｐ２３と、非反転位置Ｐ２３から第３回転軸Ａ３の回りに１８０°反転された反転位置Ｐ２４との間で第３回転軸Ａ３の回りに回転可能となっている。非反転位置Ｐ２３は、例えば図１に示したように、表示部２０の収納位置において表示画面２１Ａを本体部１０の背面側に向けた後ろ向き位置である。反転位置Ｐ２４は、例えば図４に示したように、表示部２０の収納位置において表示画面２１Ａを本体部１０の前面側に向けた前向き位置である。
【００１９】
図５は、図３に示したヒンジフレーム３０を拡大して表したものである。ヒンジフレーム３０は、本体部１０と回転ヒンジユニット４０とを連結すると共に表示部２０の回転移動範囲を拡大するためのものであり、例えばステンレス鋼などの金属板により構成されている。ヒンジフレーム３０の第１辺（上辺）３１は、本体部１０に対して第１回転軸Ａ１の回りに回動可能に固定されている。第１回転軸Ａ１は、図２に示したように、光軸ｙおよびカメラ縦方向ｚに垂直で、カメラ横方向ｘに伸びる軸であり、第２回転軸Ａ２に平行である。第１辺３１に対向する第２辺（下辺）３２には、回転ヒンジユニット４０が取り付けられている。第１辺３１と第２辺３２とは結合部３３により結合されている。この結合部３３は、例えば、左右に三角形の左右対称な切欠き３４、上方中央に五角形の窓３５を有するＹ字形状をなしている。
【００２０】
第１辺３１は、両端３１Ａ，３１Ｂにおいて、本体部１０の背面の一対の固定部１６に対して蝶板により回転可能に軸支されており、この第１辺３１の軸支位置が第１回転軸Ａ１となっている。第１回転軸Ａ１は、本体部１０の背面のファインダー１２の下方・近傍に設けられており、ヒンジフレーム３０は、図６に示したように、本体部１０の背面に接する下方位置Ｐ３１（図１および図２参照。）と、ファインダー１２に近接する上方位置Ｐ３２（図７参照。）との間で第１回転軸Ａ１の回りに矢印Ｒ１で示したように回動可能となっている。
【００２１】
図１に示した本体部１０のアイセンサ１３は、ヒンジフレーム３０が上方位置Ｐ３２にあるか否かを検知するヒンジフレーム開閉検知センサを兼ねていることが好ましい。これにより、撮像装置１のアイセンサ１３を用いてヒンジフレーム３０の位置を検知することが可能となるので、追加のセンサが不要となり、センサを一つ節約することが可能となる。
【００２２】
第１回転軸Ａ１は、図１に示したように、表示部２０の収納位置における可動辺２０Ｂ（取付辺２０Ａとの対向辺）の位置よりも第２回転軸Ａ２の側にずらされていることが好ましい。換言すると、第１回転軸Ａ１よりも上方に可動辺２０Ｂが突出して位置していることが好ましい。その理由は後述する（図１７参照。）。ここで収納位置とは、表示部２０が本体部１０の背面の収納部１５に収納されている位置、すなわち、ヒンジフレーム３０が下方位置Ｐ３１かつ表示部２０が閉位置Ｐ２１にある位置をいう。
【００２３】
また、図１に示した本体部１０のアイフード１４の下部の両側には、斜面１７が設けられている。斜面１７は、表示部２０の収納位置における可動辺２０Ｂの側に最も低い位置を有し、この最も低い位置から離れるに従って（本体部１０の底面側から上面側に向かって）高くなっている。更に、斜面１７は、ヒンジフレーム３０が第１回転軸Ａ１の回りに回動したときの表示部２０の可動辺２０Ｂの可動範囲外に設けられていることが好ましい。このような斜面１７の作用は後述する（図１７参照。）。
【００２４】
図４に示した切欠き３４は、表示部２０を第３回転軸Ａ３の回りに回転させる際に表示部２０とヒンジフレーム３０との接触または干渉を回避するためのものであり、第２辺３２の中央部分３２Ｃ以外の両端部分３２Ａ，３２Ｂと第１辺３１の両端３１Ａ，３１Ｂとの間に設けられている。これにより、この撮像装置１では、表示部２０の縦・横の向きに関わらず傾斜角度を変更することが可能となっている。
【００２５】
切欠き３４は、ヒンジフレーム３０と表示部２０とのなす角が９０°未満の場合に表示部２０が第３回転軸Ａ３の回りに回転する範囲内に設けられていることが好ましい。これにより、表示部２０とヒンジフレーム３０との接触または干渉を確実に回避することが可能となる。
【００２６】
具体的には、切欠き３４は、例えば略三角形であり、第１辺３１の両端３１Ａ，３１Ｂの近傍と第２辺３２の中央部分３２Ｃの近傍との間に、第１辺３１に交差する傾斜辺３４Ａを有している。
【００２７】
窓３５は、結合部３３の第１辺３１側の中央部分、すなわち、例えば図７に示したように、ヒンジフレーム３０を第１回転軸Ａ１の回りに上方位置Ｐ３２（ファインダー１２近傍）まで回転させた場合にファインダー１２に対向する位置に設けられている。これにより、後述するミラーモード撮影時に、被写体となる人物に表示部２０の表示面を確認させると同時に、撮影者自身がファインダー１２から被写体を確認することが可能となる。具体的には、窓３５は、例えば切欠き３４の傾斜辺３４Ａに平行な傾斜辺３５Ａを含む五角形である。
【００２８】
なお、切欠き３４および窓３５の形状は特に限定されず、切欠き３４は三角形のほか、矩形などの他の形状でもよい。窓３５についても、五角形のほか、図８に示したような三角形、または矩形などの他の形状でもよい。また、窓３５は、図５に示したように第１辺３１の中央部分を抉り取った切欠きでもよいし、ファインダー１２に対向する位置に孔を設けるようにしてもよい。また、例えば図９に示したように、切欠き３４および窓３５を矩形とし、結合部３３を略Ｔ字形状とすることも可能である。
【００２９】
図１０は、図３に示した回転ヒンジユニット４０を拡大して表したものである。回転ヒンジユニット４０は、表示部２０を第２回転軸Ａ２または第３回転軸Ａ３の回りに回転させるためのものであり、例えば、ヒンジ回転部材４１と、回転軸部材４２と、固定板４３とを有している。ヒンジ回転部材４１は、ヒンジフレーム３０の第２辺３２に回動可能に固定され、表示部２０を第２辺３２に沿う第２回転軸Ａ２の回りに回転させるものである。具体的には、ヒンジ回転部材４１の両端４１Ａ，４１Ｂと第２辺３２の両端部分３２Ａ，３２Ｂとが蝶板により回動可能に軸支されている。
【００３０】
回転軸部材４２は、ヒンジ回転部材４１の長手方向中央部に設けられ、表示部２０を第２回転軸Ａ２と直角な方向の第３回転軸Ａ３の回りに回転させるものである。回転軸部材４２と表示部２０の取付辺２０Ａとは、一対の固定板４３により結合・固定されている。
【００３１】
図１１は、表示部２０の表示動作の制御系統を表したものである。表示部２０は、上述したように、図１に示した非反転位置Ｐ２３と、図４に示した反転位置Ｐ２４との間で、第３回転軸Ａ３の回りに１８０°反転可能となっている。回転軸部材４２は、表示部２０が反転位置Ｐ２４にあるか否かを検知する表示部回転検知センサ４４を有している。表示部回転検知センサ４４は、例えば、メカセンサあるいは磁気センサなどにより構成され、回転軸部材４２の軸内部に設けられている。また、本体部１０は、ヒンジフレーム開閉検知センサとしてのアイセンサ１３および表示部回転検知センサ４４の検知結果に基づいて表示部２０を制御する制御部１８を有している。
【００３２】
図１２は、表示部２０の中央における断面構成を表したものである。表示部２０は、例えば、液晶などの表示素子２１を有している。表示素子２１の前面（表示画面２１Ａ）には、表示素子２１の保護や強度確保のため、ガラス等の透明材料よりなる前面板２２が配置されている。表示素子２１と前面板２２との間には、表示素子２１の全周にわたって、密閉のための両面接着テープ２３が設けられている。
【００３３】
表示素子２１の側面および背面は、筐体（リアカバー）２４により被覆されている。表示素子２１の背面と筐体２４との間には、表示素子２１の駆動のための中継基板２５が収納されている。中継基板２５の周辺には、第１パッキン２６Ａが挟み込まれている。
【００３４】
中継基板２５には、例えば細線同軸ケーブルよりなるケーブル２７が接続されている。このケーブル２７は、例えば図１３に示したように、ヒンジフレーム３０および回転ヒンジユニット４０を経由して中継基板２５と本体部１０とを接続するものである。ケーブル２７は、ヒンジフレーム３０内では多数の芯線を平たく並べた並列の状態でヒンジフレーム３０に沿って延設されている。また、ケーブル２７は、ヒンジフレーム３０と回転ヒンジユニット４０との境目で並列の状態から多数の芯線を束ねた巻きの状態に変わり、回転ヒンジユニット４０の軸の中心に設けられた穴に巻きの状態で通されているか、あるいは、回転ヒンジユニット４０の回転軸に巻きつく状態で設けられている。
【００３５】
ケーブル２７が回転ヒンジユニット４０から表示部２０の筐体２４に入る部分は、図１２に示したように、第２パッキン２６Ｂで挟まれている。また、図１３に示したように、ケーブル２７が本体部１０（図１３には図示せず、図１参照）からヒンジフレーム３０に入る部分は、第３パッキン２６Ｃで挟まれている。これら両面接着テープ２３，第１パッキン２６Ａ，第２パッキン２６Ｂおよび第３パッキン２６Ｃによる必要最小限のみの部分的な封止により、表示部２０の防塵防滴がなされている。
【００３６】
以下、図１４ないし図２８を参照して、この撮像装置１の動作・作用について説明する。
【００３７】
（横位置・ハイアングル撮影）
図１４は、この撮像装置１による横位置・ハイアングル撮影の一例を表したものである。ここで「横位置・ハイアングル」とは、撮像装置１を横長に持って高い位置（例えば頭上）に構える撮影方法をいう。まず、図１４（Ａ）に示したように、撮像装置１を横位置にして、表示部２０の表示画面２１Ａを外側（背面側）にして表示部２０を収納部１５に収納した状態から操作を開始する。次いで、図１４（Ｂ）に示したように、表示部２０を第２回転軸Ａ２の回りに矢印Ｒ２で示したように下方へ０°〜９０°（図１４（Ｂ）では例えば９０°）回転させることにより、表示部２０の表示画面２１Ａを下向きにする。これにより、撮影者ＣＭは、撮像装置１を頭上に構え、表示部２０の表示画面２１Ａを下方から視認しながら撮影することが可能となる。
【００３８】
（横位置・ローアングル撮影の第１の例）
図１５および図１６は、この撮像装置１による横位置・ローアングル撮影の一例を表したものである。ここで「横位置・ローアングル」とは、撮像装置１を横長に持って低い位置（例えば腹部）に構える撮影方法をいう。まず、図１５（Ａ）に示したように、撮像装置１を横位置にして、表示部２０の表示画面２１Ａを外側（背面側）にして表示部２０を収納部１５に収納した状態から操作を開始する。次いで、同じく図１５（Ａ）に示したように指Ｆで回転ヒンジユニット４０を持ち上げることにより、図１５（Ｂ）に示したように、表示部２０を本体部１０から浮かせる。続いて、図１５（Ｃ）および図１６に示したように、表示部２０を更に持ち上げることにより、表示部２０の表示画面２１Ａを上向きにして表示部２０を撮像装置１の上面（アクセサリーシュー５０上）に載せる。これにより、撮影者ＣＭは、撮像装置１を撮影者ＣＭの目の位置よりも下方に構え、表示部２０の表示画面２１Ａを上方から視認しながら撮影することが可能となる。また、図１６に示したように、本体部１０の背面からのヒンジフレーム３０および表示部２０の突出量Ｄが小さいので、撮像装置１を身体につけて構えることが可能となり、安定した姿勢でブレの小さい撮影が可能となる。
【００３９】
図１７は、図１５（Ａ）から図１５（Ｂ）に至るまでの各構成要素の動作を更に詳細に表したものである。図１５（Ａ）に示したように、指Ｆで回転ヒンジユニット４０を持ち上げると、図１７の矢印Ｒ１および破線ＢＬ１に示したように、ヒンジフレーム３０が第１回転軸Ａ１の回りに回動する。
【００４０】
ここで、上述したように、第１回転軸Ａ１は、表示部２０の収納位置における可動辺２０Ｂの位置よりも第２回転軸Ａ２の側にずれている。換言すると、第１回転軸Ａ１よりも上方に可動辺２０Ｂが飛び出して位置している。そのため、ヒンジフレーム３０が第１回転軸Ａ１の回りに回動する（矢印Ｒ１および破線ＢＬ１）に伴って、図１７の矢印Ｒ２に示したように、表示部２０の可動辺２０Ｂが浮き上がることになる。よって、指Ｆで回転ヒンジユニット４０を持ち上げるという一つの動作だけで、ヒンジフレーム３０を第１回転軸Ａ１の回りに回動させる（矢印Ｒ１および破線ＢＬ１）と同時に表示部２０の可動辺２０Ｂを浮き上がらせる（矢印Ｒ２）ことが可能となり、撮影者の利便性が向上する。
【００４１】
これに対して、第１回転軸Ａ１が、表示部２０の収納位置における可動辺２０Ｂと同じ位置にある場合には、ヒンジフレーム３０が第１回転軸Ａ１の回りに回動しても、表示部２０の可動辺２０Ｂが浮き上がることはない。よって、この場合には、指Ｆで回転ヒンジユニット４０を持ち上げるという動作の後に、指で表示部２０の可動辺２０Ｂをつまんで持ち上げるという追加の動作が必要となり、手間がかかる。
【００４２】
また、上述したように、本体部１０のアイフード１４の下部には斜面１７が設けられている。この斜面１７は、表示部２０の収納位置における可動辺２０Ｂの側に最も低い位置を有し、この最も低い位置から離れるに従って高くなっている。そのため、表示部２０の可動辺２０Ｂが浮き上がった際に、表示部２０の可動辺２０Ｂがアイフード１４の下部に接触して浮き上がりが阻害されてしまうことがない。よって、表示部２０の可動辺２０Ｂは、図１７の矢印Ｒ２に示したように、斜面１７を摺り上がっていき、表示部２０が第２回転軸Ａ２の回りに回動する。これにより、斜面１７をガイド面として表示部２０がヒンジフレーム３０から離れて持ち上がり、図１５（Ｂ）に示したように、表示部２０が本体部１０から浮いた状態となる。
【００４３】
更に、斜面１７は、ヒンジフレーム３０が第１回転軸Ａ１の回りに回動したときの表示部２０の可動辺２０Ｂの可動範囲外に設けられていることが好ましい。これにより、表示部２０の可動辺２０Ｂが浮き上がった際にアイフード１４の下部に接触してしまうことを確実に回避することが可能となる。
【００４４】
また、表示部２０は、図１７および図２に示したように、可動辺２０Ｂの斜面１７に対向する位置に、先端が斜面１７に向けて尖っている尖頭状の突起２０Ｃを有していることが好ましい。これにより、表示部２０の可動辺２０Ｂが斜面１７を摺り上がる際に、突起２０Ｃの先端がガイドとなって斜面１７に当接しながら移動し、表示部２０の摺り上がり動作を更に円滑にすることが可能となる。
【００４５】
（横位置・ローアングル撮影の第２の例）
図１８は、アクセサリーを用いた場合の横位置・ローアングル撮影の一例を表したものである。撮像装置１の上面のアクセサリーシュー５０に外付けのストロボ発光装置などのアクセサリー５１を取り付けた場合には、図１５および図１６に示したように表示部２０を撮像装置１の上面（アクセサリーシュー５０上）に載せることはできない。この場合には、例えば図１８に示したように、表示部２０を第２回転軸Ａ２の回りに下方へ０°〜９０°回転させ（図１４（Ｂ）参照。）、必要に応じて表示部２０を第３回転軸Ａ３の回りに回転させて表示部２０の表示画面２１Ａを上向きにする。これにより、アクセサリー５１と表示部２０とが接触または干渉することなく、撮影者ＣＭは、撮像装置１を撮影者ＣＭの目の位置よりも下方に構え、表示部２０の表示画面２１Ａを上方から視認しながら撮影することが可能となる。
【００４６】
（横位置・ミラーモード撮影の第１の例）
図１９は、横位置・ミラーモード撮影の一例を表したものである。「横位置・ミラーモード」とは、撮像装置１を横長に持ち、表示部２０を撮影者自身に向けてモニタリングしながら、撮影者自身を被写体として撮影する方法である。
【００４７】
まず、図１９（Ａ）に示したように、撮像装置１を横位置にして、表示部２０の表示画面２１Ａを外側（背面側）にして表示部２０を収納部１５に収納した状態から開始する。次いで、図１９（Ｂ）に示したように、横位置・ローアングル撮影の第１の例と同様にして、図１５（Ａ）および図１７に示した動作により、表示部２０を本体部１０から浮かせる。続いて、図１９（Ｃ）に示したように、表示部２０を第３回転軸Ａ３の回りに矢印Ｒ３で示したように左に１８０°回転させることにより、表示部２０の表示画面２１Ａを前面に向ける。そののち、図１９（Ｄ）に示したように、ヒンジフレーム３０を上方位置Ｐ３２まで回動させることにより、表示部２０を撮像装置１の上面よりも高い位置にする。これにより、撮影者ＣＭは、撮像装置１を三脚（図示せず）等に支持させて、表示部２０を確認しながら自分自身を撮影することが可能となる。
【００４８】
図２０は、アイセンサ１３によるヒンジフレーム３０の検知を説明するための斜視図である。ヒンジフレーム３０が上方位置Ｐ３２まで回動すると（図１９（Ｃ）参照。）、図２０の矢印Ｓ１に示したように、アイセンサ１３が、ヒンジフレーム３０が上方位置Ｐ３２にあることを検知し、その検知信号を制御部１８に送る（図１１参照。）。一方、表示部２０が第３回転軸Ａ３の回りに左に１８０°回転し、表示部２０の表示画面２１Ａが前面に向くと（図１９（Ｂ）参照。）、表示部回転検知センサ４４が、表示部２０が反転位置Ｐ２４にあることを検知し、その検知信号を制御部１８に送る（図１１参照。）。制御部１８は、アイセンサ１３および表示部回転検知センサ４４の検知結果に基づいて、表示部２０に被写体の鏡像を表示させる（図１１参照。）。
【００４９】
本来、アイセンサ１３はファインダー１２近傍の物体を検知するものであり、通常は、撮影者がファインダー１２を覗くと表示部２０の表示動作は停止されるようになっている。しかしながら、ヒンジフレーム３０が上方位置Ｐ３２まで回動したことがアイセンサ１３によって検知された場合に表示部２０の表示を消してしまうと、ミラーモード撮影で被写体である撮影者が表示部２０を確認できないという不便な結果になる。そこで、上述したように、アイセンサ１３および表示部回転検知センサ４４の両方の検知結果に基づいて表示部２０の表示動作を制御させることにより、図１９および図２０に示したようなミラーモード撮影で撮影者ＣＭが表示部２０を確認しながら自分自身を撮影することが可能となり、利便性が向上する。
【００５０】
以上のミラーモード撮影の説明では、被写体である撮影者が表示部２０を確認しながら自分自身を撮影することを前提としている。しかしながら、上述したようにヒンジフレーム３０の結合部３３には窓３５が設けられているので、被写体となる人物に表示部２０を見せると同時に、撮影者が窓３５からファインダー１２を覗いて撮影することが可能となる。この撮影方法は、撮影者と被写体となる人物との両者が映像を共有できることにより撮影が容易となり、被写体・撮影者の双方にとって利便性が高い。
【００５１】
（横位置・ミラーモード撮影の第２の例）
図２１は、横位置・ミラーモード撮影の他の例を表したものである。まず、図２１（Ａ）に示したように、撮像装置１を横位置にして、表示部２０の表示面を外側（背面側）にして表示部２０を収納部１５に収納した状態から開始する。次いで、図２１（Ｂ）に示したように、表示部２０を第２回転軸Ａ２の回りに矢印Ｒ２で示したように下方へ１８０°回転させて、表示部２０の表示面を前面に向ける。これにより、撮影者ＣＭは、表示面２０を確認しながら自分自身を撮影することが可能となる。
【００５２】
（縦位置・ハイアングルおよびローアングル撮影の第１の例）
図２２は、縦位置・ハイアングルおよびローアングル撮影の一例を表したものである。ここで「縦位置・ハイアングル」とは、撮像装置１を縦長に持って高い位置（例えば頭上）に構える撮影方法をいう。「縦位置・ローアングル」とは、撮像装置１を縦長に持って低い位置（例えば腹部）に構える撮影方法をいう。
【００５３】
縦位置・ハイアングル撮影の場合には、まず、図２２（Ａ）に示したように、ヒンジフレーム３０を第１回転軸Ａ１の回りに矢印Ｒ１で示したように上方へ９０°回動させる。次いで、図２２（Ｂ）に示したように、表示部２０を第３回転軸Ａ３の回りに矢印Ｒ３で示したように下方に９０°回転させることにより、表示部２０の表示画面２１Ａを下方に向ける。このとき、表示部２０は、ファインダー１２およびアイフード１４のほぼ真上に位置しているが、表示部２０とアイフード１４との距離が十分に離れているので、表示部２０とアイフード１４とが接触または干渉することはない。また、ヒンジフレーム３０と表示部２０とは直角になっているので、表示部２０とヒンジフレーム３０が接触または干渉することもない。これにより、撮影者ＣＭは、撮像装置１を頭上に構え、表示部２０の表示画面２１Ａを下方から確認しながら撮影することが可能となる。
【００５４】
更に、図２２（Ｃ）に示したように、表示部２０を第３回転軸Ａ３の回りに矢印Ｒ３で示したように下方に１８０°回転させることにより、表示部２０の表示面を前面に向けることも可能である。このときも、表示部２０とアイフード１４との距離が十分に離れているので、表示部２０とアイフード１４とが接触または干渉することはない。また、ヒンジフレーム３０と表示部２０とは直角になっているので、表示部２０とヒンジフレーム３０が接触または干渉することもない。
【００５５】
縦位置・ローアングル撮影の場合には、まず、同じく図２２（Ａ）に示したように、ヒンジフレーム３０を第１回転軸Ａ１の回りに矢印Ｒ１で示したように上方に９０°回動させる。次いで、図２２（Ｄ）に示したように、表示部２０を第３回転軸Ａ３の回りに矢印Ｒ３で示したように上方に９０°回転させることにより、表示部２０の表示画面２１Ａを上方に向ける。このとき、表示部２０は、ファインダー１２およびアイフード１４のほぼ真上に位置しているが、表示部２０とアイフード１４との距離が十分に離れているので、表示部２０とアイフード１４とが接触または干渉することはない。また、ヒンジフレーム３０と表示部２０とは直角になっているので、表示部２０とヒンジフレーム３０が接触または干渉することもない。これにより、撮影者ＣＭは、撮像装置１を撮影者ＣＭの目の位置よりも下方に構え、表示部２０の表示画面２１Ａを上方から確認しながら撮影することが可能となる。
【００５６】
（縦位置・ハイアングルおよびローアングル撮影の第２の例）
図２３ないし図２６は、縦位置・ハイアングルおよびローアングル撮影で、表示部２０を撮像レンズ１１の光軸付近で回転させる例を表したものである。
【００５７】
縦位置・ハイアングル撮影の場合には、まず、図２３および図２４に示したように、ヒンジフレーム３０を第１回転軸Ａ１の回りに９０°よりも小さい角度、例えば４０°前後回動させて、表示部２０を本体部１０から浮いた状態にする。次いで、図２５（Ａ）に示したように、表示部２０を第３回転軸Ａ３の回りに矢印Ｒ３で示したように下方に回転させることにより、表示部２０の表示面を斜め下方に向ける。これにより、撮影者ＣＭは、撮像装置１を頭上に構え、表示部２０の表示画面２１Ａを斜め下方から確認しながら撮影することが可能となる。
【００５８】
このとき、図２４に示したように、表示部２０の中心Ｃ２０と撮像レンズ１１の中心Ｃ１１との横位置方向のずれＤＨは、ヒンジフレーム３０の回転角度を大きくしても変わらない。一方、縦位置方向のずれＤＶは、ヒンジフレーム３０の回転角度を大きくするほど、大きくなる。よって、ヒンジフレーム３０の回転角度を適切に調整することにより、縦位置方向のずれＤＶを小さくし、表示部２０を撮像レンズ１１の光軸付近に位置させることが可能となる。ただし、光軸に近い位置では、ヒンジフレーム３０と表示部２０（表示部２０の第３回転軸Ａ３）とのなす角が９０°未満となるので、ヒンジフレーム３０に切欠き３４を設けていない場合には、表示部２０を第３回転軸Ａ３の回りに回転させると表示部２０がヒンジフレーム３０に接触または干渉するおそれがある。
【００５９】
ここで、図２６に示したように、ヒンジフレーム３０の結合部３３には、第２辺３２の中央部分３２Ｃ以外の両端部分３２Ａ，３２Ｂと第１辺３１の両端３１Ａ，３１Ｂとの間に切欠き３４が設けられているので、表示部２０を第３回転軸Ａ３の回りに回転させる際に表示部２０とヒンジフレーム３０との接触または干渉が抑えられ、表示部２０を撮像レンズ１１の光軸付近で回動させることが可能となる。よって、表示部２０による表示と撮影レンズ１１による撮像との差を小さくすることが可能となり、撮影者ＣＭはファインダー１２を直接覗くのと同様の感覚で表示部２０を確認しながら撮影することが可能となる。更に、ヒンジフレーム３０の切欠き３４が、ヒンジフレーム３０と表示部２０とのなす角が９０°未満の場合に表示部２０が第３回転軸Ａ３の回りに回転する範囲内に設けられていれば、表示部２０とヒンジフレーム３０との接触または干渉が確実に回避される。
【００６０】
また、ヒンジフレーム３０の回転角度も９０°よりも小さいので、表示部２０の本体部１０からの浮き上がり量が小さくなり、表示部２０を本体部１０近傍で第３回転軸Ａ３の回りに回転させることが可能となる。よって、狭いスペースで表示部２０の傾斜角度を変更することが可能となる。
【００６１】
縦位置・ローアングル撮影の場合には、まず、図２３に示したように、上述した縦位置・ハイアングル撮影と同様に、ヒンジフレーム３０を第１回転軸Ａ１の回りに９０°よりも小さい角度、例えば４０°前後回動させて、表示部２０を本体部１０から浮いた状態にする。次いで、図２５（Ｂ）に示したように、表示部２０を第３回転軸Ａ３の回りに矢印Ｒ３で示したように上方に回転させることにより、表示部２０の表示画面２１Ａを斜め上方に向ける。これにより、撮影者ＣＭは、撮像装置１を頭上に構え、表示部２０の表示画面２１Ａを斜め上方から確認しながら撮影することが可能となる。
【００６２】
この場合も、ヒンジフレーム３０の結合部３３には、第２辺３２の中央部分３２Ｃ以外の両端部分３２Ａ，３２Ｂと第１辺３１の両端３１Ａ，３１Ｂとの間に切欠き３４が設けられているので、縦位置・ハイアングル撮影の場合と同様に、表示部２０を第３回転軸Ａ３の回りに回転させる際に表示部２０とヒンジフレーム３０との接触または干渉が抑えられ、表示部２０を撮像レンズ１１の光軸付近で回動させることが可能となる。よって、表示部２０による表示と撮影レンズ１１による撮像との差を可及的に小さくすることが可能となり、撮影者ＣＭはファインダー１２を直接覗くのと同様の感覚で表示部２０を確認しながら撮影することが可能となる。
【００６３】
また、図２７に示したように、撮像装置１の底面にアクセサリーグリップ（縦位置コントロールグリップ）５２を装着した場合にも、表示部２０とアクセサリーグリップ５２とが接触または干渉することなく、表示部２０を第３回転軸Ａ３の回りに回転させることが可能である。
【００６４】
図２８は、ヒンジフレーム３０の結合部３３がＴ字形状をなす場合とＹ字形状をなす場合について、それぞれの作用を表したものである。なお、図２８（Ａ）では窓３５を省略している。図２８（Ａ）に示したように、ヒンジフレーム３０の結合部３３がＴ字形状をなす場合には、表示部２０を第３回転軸Ａ３の回りに回転させる際に、表示部２０の下辺２０Ａとヒンジフレーム３０の結合部３３とが点Ｐ２０で当たる。
【００６５】
一方、図２８（Ｂ）に示したように、ヒンジフレーム３０の結合部３３がＹ字形状をなす場合には、切欠き３４の形状を適切に調整することにより、表示部２０の下辺２０Ａとヒンジフレーム２０の結合部３３とが線Ｌ２０で当たるようにすることが可能である。よって、Ｙ字形状の場合には表示部２０からの圧力を安定して受けることが可能となる。また、Ｙ字形状のほうが捩じりに対して強度が高くなるという利点もある。
【００６６】
このように本実施の形態では、ヒンジフレーム３０の結合部３３に、第２辺３２の中央部分３２Ｃ以外の両端部分３２Ａ，３２Ｂと第１辺３１の両端３１Ａ，３１Ｂとの間に切欠き３４を設けるようにしたので、表示部２０を第３回転軸Ａ３の回りに回転させる際に表示部２０とヒンジフレーム３０との接触または干渉を抑え、表示部２０の縦・横の向きに関わらず傾斜角度を変更することが可能となる。また、表示部２０を撮像レンズ１１の光軸付近で第３回転軸Ａ３の回りに回動させることが可能となり、表示部２０による表示と撮影レンズ１１による撮像との差を小さくすることが可能となる。よって、撮影者はファインダー１２を直接覗くのと同様の感覚で表示部２０を確認しながら撮影することが可能となり、利便性が向上する。
【００６７】
また、ヒンジフレーム３０の結合部３３の第１辺３１側の中央部分に窓３５を設けるようにしたので、ミラーモード撮影時に、被写体となる人物に表示部２０の表示画面２１Ａを確認させると同時に、撮影者自身がファインダー１２から被写体を確認して撮影することが可能となる。
【００６８】
更に、ヒンジフレーム３０の結合部３３がＹ字形状をなすようにしたので、表示部２０の下辺２０とヒンジフレーム３０の結合部３３とを線Ｌ２０で接触させ、表示部２０からの圧力を安定して受けると共に、ヒンジフレーム３０の強度を高めることが可能となる。
【００６９】
加えて、第１回転軸Ａ１を、表示部２０の収納位置における可動辺２０Ｂの位置よりも第２回転軸Ａ２の側にずらすようにしたので、指で回転ヒンジユニット４０を持ち上げるという一つの動作だけで、ヒンジフレーム３０を第１回転軸Ａ１の回りに回動させると同時に表示部２０の可動辺２０Ｂを浮き上がらせることが可能となる。よって、煩雑な作業を必要とせず、容易に表示部２０を撮像装置１の上面に載せることが可能となる。
【００７０】
更にまた、本体部１０のアイフード１４の下部には斜面１７を設けるようにしたので、表示部２０の可動辺２０Ｂが浮き上がった際に、表示部２０の可動辺２０Ｂがアイフード１４の下部に接触して浮き上がりが阻害されてしまうことがない。よって、特別な作業の必要なしに、斜面１７をガイド面として表示部２０を本体部１０から浮いた状態とすることが可能となる。
【００７１】
加えてまた、アイセンサ１３および表示部回転検知センサ４４の両方の検知結果に基づいて制御部１８により表示部２０の表示動作を制御させるようにしたので、ミラーモード撮影で撮影者が表示部２０を確認しながら自分自身を撮影することが可能となり、利便性が向上する。
【００７２】
（第２の実施の形態）
図２９は、本発明の第２の実施の形態に係る表示装置（フォトフレーム）の外観を表したものである。この表示装置２は、画像（静止画および動画を含む）を表示する表示部６０と、この表示部６０を支持する本体部７０とを有している。表示部６０および本体部７０は、第１の実施の形態と同様のヒンジフレーム３０および回転ヒンジユニット４０を介して結合されている。よって、第１の実施の形態に対応する構成要素については同一の符号を付して説明する。
【００７３】
表示部６０は、第１の実施の形態の表示部２０と同様に構成されている。本体部７０は、矩形板状の支持部７１の背面に支持棒７２を有している。支持棒７２は、支持部７１を設置面上に斜めに立てた状態で支持するためのものである。支持部７１の前面には、ヒンジフレーム３０を回動可能に固定するための一対の固定部７３が設けられている。なお、図２９では、表示装置２を、本体部７０の長辺を下にして横位置（横長）にした状態を表しているが、本体部７０の短辺を下にして縦位置（縦長）にすることも可能である。
【００７４】
ヒンジフレーム３０および回転ヒンジユニット４０は第１の実施の形態と同様に構成されている。よって、この表示装置２では、表示部６０の縦・横の向きに関わらず傾斜角度を変更することが可能となっている。
【００７５】
特に表示装置２では、撮像装置１を縦位置にして光軸近傍で表示部２０を回転させる場合（図２３ないし図２６）と同様に、表示部６０を本体部７０からあまり離さずに、表示部２０を本体部７０近傍で第３回転軸Ａ３の回りに回転させることが可能となる点に大きな利益がある。すなわち、表示部６０を手前に引き出すスペースの余裕がない場合にも、表示部６０の傾斜角度を変更することが可能となる。
【００７６】
以上、実施の形態を挙げて本発明を説明したが、本発明は上記実施の形態に限定されるものではなく、種々の変形が可能である。例えば、上記第１の実施の形態では、斜面１７がアイフード１４の下部に設けられている場合について説明したが、斜面１７は、必ずしもアイフード１４の下部に設けられている必要はなく、本体部１０の背面の筐体（リアカバー）それ自体、あるいは背面上の他の部材に設けられていてもよい。
【００７７】
また、例えば、上記第１の実施の形態では、横位置・ミラーモード撮影について説明したが、縦位置・ミラーモードについても同様にして行うことが可能である。更に、上記第１の実施の形態では、縦位置・ハイアングルおよびローアングル撮影で、表示部２０を撮像レンズ１１の光軸付近で回転させる例について説明したが、横位置についても同様にして表示部２０を撮像レンズ１１の光軸付近で回転させることが可能である。
【００７８】
加えて、例えば、上記第１の実施の形態では、固定部１６が本体部１０の背面から突出した突起部である場合について説明したが、固定部１６は本体部１０に埋め込まれていてもよい。これにより、ヒンジフレーム３０の第１回転軸Ａ１を本体部１０に埋め込むことが可能となり、美観が向上すると共にコンパクトで操作性を阻害しない構成が可能となる。
【００７９】
更にまた、例えば、上記第１の実施の形態では、撮像装置の例としてデジタル一眼レフカメラについて説明したが、本発明は、コンパクトカメラ，ビデオカメラなどの他の撮像装置にも適用可能である。更に、上記第２の実施の形態では、表示装置の例としてフォトフレームを挙げて説明したが、本発明は、大型，中型ないし小型のテレビジョン装置，携帯電話，カーナビゲーション装置，電光掲示板など他の表示装置にも適用可能である。
【００８０】
加えてまた、例えば、上記実施の形態では、表示部２０が液晶表示素子により構成されている場合について説明したが、表示部２０は、液晶のほか、プラズマ，有機ＥＬ（Electroluminescence），無機ＥＬ，エレクトロデポジションもしくエレクトロクロミックなどの他の表示素子を用いたものであってもよい。
【符号の説明】
【００８１】
１…撮像装置、１０…本体部、１１…撮像レンズ、１２…ファインダー、１３…アイセンサ、１４…アイフード、１５…収納部、１６…固定部、１７…斜面、１８…制御部、２０…表示部、２０Ａ…取付辺、２０Ｂ…可動辺、２１…表示素子、２１Ａ…表示画面、３０…ヒンジフレーム、３１…第１辺、３２…第２辺、３３…結合部、３４…切欠き、３５…窓、４０…回転ヒンジユニット、４１…ヒンジ回転部材、４２…回転軸部材、４３…固定板、４４…表示部回転検知センサ、５０…アクセサリーシュー、５１…アクセサリー（ストロボ発光装置）、５２…アクセサリーグリップ（縦位置コントロールグリップ）、Ａ１…第１回転軸、Ａ２…第２回転軸、Ａ３…第３回転軸。
【図１】
0005601134.tif 000002
【図２】
0005601134.tif 000003
【図３】
0005601134.tif 000004
【図４】
0005601134.tif 000005
【図５】
0005601134.tif 000006
【図６】
0005601134.tif 000007
【図７】
0005601134.tif 000008
【図８】
0005601134.tif 000009
【図９】
0005601134.tif 000010
【図１０】
0005601134.tif 000011
【図１１】
0005601134.tif 000012
【図１２】
0005601134.tif 000013
【図１３】
0005601134.tif 000014
【図１４】
0005601134.tif 000015
【図１５】
0005601134.tif 000016
【図１６】
0005601134.tif 000017
【図１７】
0005601134.tif 000018
【図１８】
0005601134.tif 000019
【図１９】
0005601134.tif 000020
【図２０】
0005601134.tif 000021
【図２１】
0005601134.tif 000022
【図２２】
0005601134.tif 000023
【図２３】
0005601134.tif 000024
【図２４】
0005601134.tif 000025
【図２５】
0005601134.tif 000026
【図２６】
0005601134.tif 000027
【図２７】
0005601134.tif 000028
【図２８】
0005601134.tif 000029
【図２９】
0005601134.tif 000030